(57)【要約】　　　（修正有）【課題】粉粒体を多量に注出する時はスプーン等で掬って取り出せて、少量だけ注出する時は注出口から振り出せて、また、不正開封が判別できるようにした粉体容器を提供する。【解決手段】中空容器１の口頸部に螺合可能な蓋体２に、注出口４ａ、該注出口に切除可能な密閉蓋片４ｂ、開口蓋部４のヒンジ蓋３、該蓋体の螺合筒部２ｂに容易に破断可能な不正開封防止片５を設けて密閉蓋体となし、前記密閉蓋体を、各種の粉粒体を収容した中空容器１の口頸部１ａに着脱可能に螺合せしめて、内容物を多量に必要とする時には、前記蓋体２が簡単に外れてスプーン等で内容物を掬って取り出し可能となし、内容物を少量だけ必要とする時には、前記蓋体のヒンジ蓋３を開いて密閉蓋片４ｂを切除して、注出口４ａから注出可能となした不正開封防止機能を備えた粉体容器を構成する。【選択図】　　　　図１
2004123143.tif 000002
【特許請求の範囲】
【請求項１】
中空容器の口頸部に着脱自在に螺合して開口部を密閉する蓋体であって、前記蓋体の天板部の一部に注出口を設けた開口蓋面を形成すると共に、前記開口蓋面に開閉自在なヒンジ蓋を設けた蓋体を形成して、前記蓋体は中空の容器本体の口頸部に螺合可能に形成されると共に螺合筒部に容易に破断可能な不正開封防止片が形成されてなることを特徴とする粉体容器の密閉蓋体。
【請求項２】
中空容器の口頸部に着脱自在に螺合して開口部を密閉する蓋体であって、蓋体の天板部の一部に注出口を設けた開口蓋面を形成して、前記注出口には破断可能な密閉蓋片を設けると共に、前記開口蓋面に開閉自在なヒンジ蓋を設けた蓋体を形成して、前記蓋体は中空容器の口頸部に螺合可能に形成された螺合筒部に容易に破断可能な不正開封防止片が形成されてなることを特徴とする粉体容器の密閉蓋体。
【請求項３】
中空の容器本体の口頸部に着脱可能な蓋体の天板部の一部に、注出口を設けた開口蓋面を形成すると共に、該開口蓋面に注出口を開閉する蓋部を設けて容器本体の口頸部に螺合可能な蓋体を形成して、前記注出口に破断可能な密閉蓋片を設けると共に前記蓋体の螺合筒部に容易に破断可能な不正開封防止片を設けて螺合可能に形成した密閉蓋体を、粉粒体を収容した容器本体の口頸部に着脱可能に螺合せしめて、振出しによる注出と掬い出しによる注出とを選択可能にして密閉容器を形成してなることを特徴とする開閉蓋付き粉体容器。
【請求項４】
中空の容器本体の口頸部に着脱可能な蓋体の天板部の一部に、注出口を設けた開口蓋面を形成すると共に、該開口蓋面に注出口を開閉する蓋部を設けて容器本体の口頸部に螺合可能な蓋体を形成して、前記注出口に破断可能な密閉蓋片を設けると共に、前記蓋体の螺合筒部に容易に破断可能な不正開封防止片を設けて螺合可能に形成した密閉蓋体を、粉粒体を収容して開口部が密封材で密封された中空容器の口頸部に着脱可能に螺合せしめて、振出しによる注出と掬い出しによる注出とを選択可能にして密閉容器を形成してなることを特徴とする開閉蓋付き粉体容器。
【請求項５】
前記開閉自在な蓋部は、蓋体天板部の開口蓋面に開閉可能にヒンジ連結して設けられた開閉蓋からなることを特徴とする請求項３または請求項４に記載する開閉蓋付き粉体容器。
【請求項６】
前記開閉自在な蓋部は、蓋体天板部の開口蓋面にスライド可能に嵌着して設けられた開閉蓋からなることを特徴とする請求項３または請求項４に記載する開閉蓋付き粉体容器。
【請求項７】
前記開閉自在な蓋部は、蓋体天板部の開口蓋面に支持点で回動可能に設けられた開閉蓋からなることを特徴とする請求項３または請求項４に記載する開閉蓋付き粉体容器。
【発明の詳細な説明】
【０００１】
【発明の属する技術分野】
本願の発明は、粉末のコーヒーや砂糖、または、顆粒状の各種調味料や食品、あるいは、粉末状の薬剤や錠剤等の粉粒体を収容した蓋付きの密閉容器から内容物を取り出すに際して、大量に使用する場合には蓋体を外してスプーン等の道具を用いて取り出して、また、少量を使用する場合には蓋体に設けられた開口部から注ぎ出すようにして、使用する量に応じて取り出し口を選択できるようにした蓋体を有する粉体容器に関するものである。
【０００２】
【従来の技術】
従来から知られている粉粒体を収容した容器としては、胡椒や唐辛子、または、食塩やチーズ等を収容したものには、蓋部に大小の複数の孔を穿って振出し口が設けられた容器が用いられており、また、粉ミルクやインスタントコーヒー、砂糖等を収容したものには、容器の開口端に着脱可能な蓋体が設けられた容器が用いられている。
そして、香辛料や調味料が入った容器から唐辛子やチーズ等を注出して使用する場合には、実開平４−４１８５３号や特開平８−９１４０５号公報に見るような容器に収容されているものでは、蓋部を回転させて外蓋の孔と中蓋の孔とを一致させて、必要とする大きさの開口を選択するか、必要とする大きさの孔がある方のヒンジ蓋を開いてから、容器本体を逆さまにして上下方向に揺することにより、それぞれの開口部から内容物が振り出すことができる。
【０００３】
また、粉ミルクやコーヒーが入った容器から中身を取り出して使用する場合には、容器本体から蓋体を取り去って開口してから、該容器本体の内部にスプーン等の道具を挿入して、内容物を必要な量だけ掬って取り出している。
しかしながら、香辛料や調味料等を収容した上記に見るような容器では、振出し口から中身を振出して使用するので、少量だけ使用する時には非常に便利ではあるが、多量に使用しなければならない時には、何回も容器を振って出さなければならないので不便な場合がある。
また、粉ミルクやコーヒーを収容した容器の場合には、少量だけの振出し口がないので、使用する度ごとに蓋を外してからスプーン等を用いて中身を取り出さなければならず、少量だけ使用する時には蓋の開閉や取り出すのに不便を感ずることがある。
【０００４】
そのようなことから、砂糖やチーズ等の調味料やその他の粉粒体等を大量に使用する場合には、最初はスプーン等を用いて取り出して大量に投入した後で、味見をしてみてまだ足りない場合には、加減をしながら少量ずつ注ぎ足して使用する場合がある。
そこで、上記したような従来の粉体容器にある問題点を解消して、大量に使用したい場合にはスプーン等を用いて取り出すことができて、少量だけを使用する場合には容器に設けられた振出口から直接に注出できるような構造をした粉体容器として、実開平４−２７７５２号公報や特開２００２−２７５０号公報等に見るような容器が提案されている。
【０００５】
これらの粉体容器は、図７に示すように、円筒状の中空容器の口頸部に嵌着する内蓋と外蓋とからなる蓋体２２を用いたもので、内蓋２２ｄの片側の半分には複数の小さい振出し孔２２ｅが設けられると共に、内蓋２２ｄの残り半分には全面開口した大口２２ｃが設けられていて、その上に被せられた外蓋部には、前記大口２２ｃと振出し孔２２ｅとをそれぞれ開閉するようにしたヒンジ蓋２２ａ，２２ｂが設けられて、円筒状をした中空容器２１の口頸部２１ａに嵌着できるように形成されている。
このように形成された蓋体２２は、図８に示したように、調味料やミルク等の粉体が収容された中空容器２１の口頸部に嵌着せしめられて、内容物をスプーン２３等を用い大口２２ｃから取り出せたり、また、容器を傾けて振出し孔２２ｅから注出できるようにした粉体容器を形成したものである。
【０００６】
上記のように形成された粉体容器は、内容物を大量に使用したい場合には、外蓋に設けられた大口側のヒンジ蓋２２ａを開くと大きな口が開口するので、図８に示したように、手にスプーン２３を持って容器本体２１内に挿入して、内容物を掬い出して使用することができる。
また、内容物を少量だけ使用したい場合には、外蓋に設けられた振出し孔側のヒンジ蓋２２ｂを開くと、内蓋２２ｄに設けられた多数の小孔からなる振出し孔２２ｅが現れるので、図９に示したように、手に持った中空容器２１を傾けて振ることにより、内容物を多数の小さな振出し孔２２ｅから注出させて使用することができる。
【０００７】
上記のように形成された粉体容器は、ヒンジ蓋２２ａ，２２ｂを選択して開くことにより、内容物を大量に取り出すことも、少量だけ取り出すこともできて、非常に便利ではあるが、その一方で蓋体の構造からして、容器の口径が大きなものには不向きであり、また、内容物によっては小孔である振出し孔部分が目詰まりすることがあり、更には、商品となった蓋体が不正に開封されたか、否かの判別ができないという問題がある。
そこで、上記したような色々な問題点を解決して、中空容器の本体が手に持てる範囲のものであれば、容器の形状や口径の大きさに関係なしに適用することができて、使用する量の大小に合わせて内容物を取り出すことができて、また、蓋体が開封されたか、否かが一目で判別することができるようにした蓋体を備えた粉体容器の出現が望まれている。
【０００８】
【発明が解決しようとする課題】
本願の発明は、粉体容器に於ける上記したような各種の問題点を解決するために創案されたもので、中空容器の本体内に収容された粉粒体からなる内容物を、大量に使用する場合には、蓋体を外して必要な量をスプーン等で掬って取り出すことができて、また、少量だけ使用する場合には、容器本体を傾けて蓋体に設けた注出口から注ぎ出すことができるような構成にして、更に、前記蓋体が開封されたか、否かが一目で分かるようにした不正開封防止機能を持たせた蓋体を形成して、該蓋体で開口部が密閉された粉体容器を提供するものである。
【０００９】
【課題を解決するための手段】
本願の発明は、上記した課題を達成するために、中空容器の開口端部に螺合可能に形成した蓋体の天板部に、小径の注出口を形成すると共に該注出口には密閉蓋片を切除可能に形成して、前記注出口を開閉するヒンジ蓋を設けた蓋体を形成すると共に、該蓋体の螺合筒部に破断可能な不正開封防止片を設けて密閉蓋体を形成して、前記蓋体を各種の粉粒体を収容する中空容器の上端の開口部に着脱自在に螺合せしめて、内容物を多量に必要とする場合には、前記蓋体を前記容器本体から外してスプーン等で内容物を掬って取り出し可能に形成すると共に、内容物を少量だけ必要とする場合には、前記蓋体のヒンジ蓋を開いて密閉蓋片を切除して、小径の注出口から振出し可能に形成した粉体容器が、開封されたか否かが一目で分かるように構成する。
【００１０】
【発明の実施の形態】
熱可塑性合成樹脂を射出成形して中空容器の口頸部に螺合可能な蓋体２を成形して、前記蓋体２の天板部２ａの一部に形成した開口蓋面４に、小径の注出口（振出し口）４ａを設けると共に、前記注出口に切除可能な密閉蓋片４ｂを設けて、更に、前記注出口４を開閉するヒンジ蓋３をヒンジ３ｂを介して連結した蓋体を一体に成形して、中空の容器本体１の口頸部１ａに螺着する螺合筒部２ｂに破断可能に連結した環状の不正開封防止片５と回動防止片５ａを設けて、容器本体１の口頸部１ａに着脱可能に螺合、密閉する蓋体２を形成する。
そして、熱可塑性合成樹脂を射出成形あるいはブロー成形して粉粒体を収容可能に中空の容器本体１を成形すると共に、該容器本体の口頸部１ａに蓋体２を螺合可能に成形して、前記容器本体内に各種の調味料等を収容した容器本体１の口頸部１ａに、前記した蓋体２を着脱可能に螺着して粉末容器を形成する。
【００１１】
上記のように形成された粉末容器から内容物を取り出して使用する際に、口頸部１ａに螺着された蓋体２を回動すると、螺合筒部２ｂの不正開封防止片５が破断して開蓋されるので、容器本体１の開口端部に密着した密封部材６や振出し口に切除可能に設けた密閉蓋片４ｂを除去して注出可能にしてから、多量の内容物を取り出したい場合には、前記蓋体２を容器本体１から外して開口した後にスプーンで内容物を掬って、必要な量を取り出して使用されて、また、少量の内容物を取り出したい場合には、前記蓋体２のヒンジ蓋３を開いてから注出口４ａの密閉蓋片４ｂを切除して開封してから、容器本体１を片手または両手に持って傾けて注出口４ａから振出して使用される。
【００１２】
【実施例】
以下に、本願発明の粉体容器について、一つの最適な実施例に基づいて、図面を参照しつつ詳細に説明する。
熱可塑性合成樹脂を射出成形して、図１に示すような粉粒体が収容可能な円筒形状をした中空の容器本体１を成形すると共に、前記容器本体の口頸部１ａには密閉する蓋体２が螺合可能なネジ部１ｂを成形して、本願発明に用いる中空の容器本体１を形成する。
【００１３】
同じように、熱可塑性合成樹脂を射出成形して、図１および図２に示すように、前記中空容器本体１の口頸部１ａに螺合する螺合筒部２ｂを設けて螺合可能な蓋体２を成形すると同時に、前記蓋体の螺合筒部２ｂに容易に破断可能な連結片２ｃを介して環状の不正開封防止片（封緘リング）５を形成すると共に、該不正開封防止片の内周面に回動防止片５ａを形成する。
そして、更に前記蓋体２の天板部２ａの一部の端寄りに設けた開口蓋面４に小径の注出口（振出し口）４ａを形成すると共に、前記注出口を塞いで密閉する切除可能な密閉蓋片４ｂを設けた開口蓋面４を形成して、前記開口蓋面に前記注出口４ａを開閉可能となしたヒンジ蓋３を設けた蓋体を一体に成形して、前記中空容器本体１の口頸部１ａに着脱可能となした密閉可能な蓋体２を形成する。
【００１４】
上記のように形成した中空の容器本体１に、砂糖やチーズ等の調味料やその他の粉粒体を収容してから、図２に示すように、容器本体１の口頸部１ａの開口端部にアルミ箔その他の密封部材６を密着せしめて密封してから、前記容器本体の口頸部１ａに上記のように形成された開閉可能な注出口４ａが設けられた蓋体２を螺合すると、前記容器本体の開口部が密閉された粉体容器が構成される。
【００１５】
上記した本願発明の密閉蓋体は、図１および図２に示したように、蓋体２の天板２ａの一部にヒンジ３ｂを介して開閉自在に連結したヒンジ蓋３が形成されると共に、該ヒンジ蓋の下には天板２ａの裏面に凹状に連接した開口蓋面４が形成されて、前記開口蓋面４には密閉蓋片４ｂが設けられた注出口４ａが形成されており、図には密閉蓋片には爪先等を引っ掛け可能にした切り欠き部４ｃが設けられていて、密閉蓋片を容易に切除できるように形成されているが、必ずしもこのような切り欠き部４ｃを設けておく必要性はない。
【００１６】
上記のように形成された粉体容器は、使用するに際しては、蓋体２を回動すると回動防止片５ａがネックリング係止して環状の不正開封防止片５が連結片２ｃ部分で簡単に破断されるので、蓋体２を容器本体１の口頸部１ａから螺脱すると、容器の開口端部を密封しているアルミ箔等の密封部材６が現れるので、該密封部材を除去すると内容物をスプーン等で掬い出せるようになり、また、前記開口蓋面４の注出口４ａを密閉している密閉蓋片４ｂを切除してから、前記蓋体２を口頸部１ａに被着して、再び螺合せしめると内容物を注出して使用可能な状態になる。
上記したように、本願発明の蓋体が用いられた容器に於いては、内容物を取り出すには、蓋体を回動、螺脱せしめてから、更に、容器の開口端部を密封している密封部材を除去しなければならず、蓋体を回動すると環状の不正開封防止片は簡単に破断、分離するので、蓋体が不正に開封されたものであるか、否かがすぐに判別することができる。
また、蓋体を回動せずに、蓋面の注出口から少量ずつ盗み取りしようとしても、注出口を密閉している密閉蓋片を切除すると共に、その下にある密封部材を開口しなければ、注出することができないので、不正に開封されたものは一目で見分けることが可能である。
このように、本願発明の蓋体を用いた容器は、不正開封を防止するために複数の密封手段が設けられているので、内容物を不正に盗み取ることは不可能な構成をしている。
【００１７】
このように構成された本願発明の粉体容器は、容器本体１内の内容物を少量だけ取り出して使用したい場合には、図５に示すように、前記蓋体２に設けられたヒンジ蓋３を開いてから手に持った容器本体１を傾けて振ることにより、内容物は注出口４ａから少しずつ必要な量を注出することができる。
また、内容物をやや多量に取り出したい場合には、前記蓋体２を容器本体１から螺脱せしめて開口端部を全面開口してから、容器本体１内にスプーンを挿入して内容物を掬うことにより、必要な量を取り出すことができる。
【００１８】
上記のようにして、粉体容器から内容物の必要な量を取り出して使用した後には、少量だけ使用の場合には、開いていたヒンジ蓋３を閉じてやると、ヒンジ蓋３の内面に突設した嵌合筒壁３ａが注出口４ａの内周面に嵌合して密着されると共に、ヒンジ蓋３の側面と蓋体２の天板２ａとに設けられたアンダーカット部同志が係合して、密閉された状態になり、また、多量に使用した場合には、容器本体１から外していた蓋体２を再び口頸部１ａに被着せしめてから螺合すると、蓋体２が容器本体の口頸部１ａに螺着されて密閉状態になる。
このようにして密閉された本願の粉体容器は、容器本体１の開口部および蓋体２の注出口４ａが完全に密閉されているので、使いかけの場合であっもやや長期間の保存が可能となる。
【００１９】
上記した実施例に於いては、砂糖やチーズ等の調味料やその他の粉粒体を収容した容器本体１の開口端に、アルミ箔その他の密封部材６を密着せしめて密封した容器本体の口頸部１ａに、上記した本願発明の注出口４ａを設けた蓋体２を螺着して、容器の口頸部１ａの開口部を密閉したが、本願発明はこのようなものに限定されるものでない。
本願発明は、例えば図４に示したように、容器本体１の口頸部１ａの開口部をアルミ箔等の密封部材６により密封することなしに、上記のように形成された蓋体２を、砂糖やチーズその他の内容物を収容した中空容器１の口頸部１ａに、直接に螺着することも可能である。
【００２０】
また、このように密封部材６により口頸部１ａの開口部を密封することなしに、上記したような蓋体２を中空の容器本体の口頸部１ａに直接螺着して密封する場合には、図３に示すように、密閉する蓋体２の密閉蓋面４の注出口４ａに設ける密閉蓋片４ｂに、破断して切除するための切り欠き４ｃを設ける代わりに、摘み片４ｄを設けて切除可能に形成しておくことにより、実際に容器が開封されるまでの間の密封性を高めることができる。
そして、更に、上記蓋体の内面と容器の開口端との間に適当なパッキン材７を設けておけば、密閉性を一層高めることができる。
【００２１】
尚、上記した実施例に於いては、蓋体２に形成した開口蓋面４の注出口４ａを密閉するのに、開閉自在にしたヒンジ蓋３を設けたものであったが、本願発明の蓋体２の構造は、このような形状をした開閉蓋に限定されるものではなくて、図６（ａ）に示すように、開口蓋面４にスライド可能に嵌合した蓋部３Ａを設けておいて、該蓋部を前後に滑動させることにより開閉することも可能であるし、また、図６（ｂ）に示すように、密閉蓋面４に回転可能に支持した蓋部３Ｂを設けておいて、該蓋部を支持点を中心にして回動させることにより開閉することができる。
【００２２】
上記のような構造にした蓋部３Ａ，３Ｂを設けた蓋体２が装着された粉体容器に於いて、蓋体２の注出口４ａを密閉するのに、開口蓋面４に設けられた開閉可能な蓋部３Ａ，３Ｂを滑動または回動させて注出口４ａに密着させただけであるから、前記した蓋部３に比べて密閉性がやや劣るので、内容物が湿るのを完全に防ぐことは困難であるから、このような蓋体を用いる場合には、第一実施例に示したように、容器本体の口頸部の開口端に密封部材を密着して密封しておくことが望ましい。
そして、上記した構造の蓋部３Ａ，３Ｂを設けた蓋体を用いた粉体容器に於いては、一度開封した後は、容器本体内に収容された内容物によっては取扱に注意をすることが必要である。
【００２３】
以上、述べたように、本願発明の粉体容器は、中空容器の口頸部に螺着して開口部を密閉する蓋体を、天板部に開閉可能なヒンジ蓋を設けた注出口を形成すると共に、容器本体の口頸部に着脱自在に螺合可能に形成したことにより、内容物を使用する量が少量で済む場合はヒンジ蓋を開いて注出口から振り出すことができて、また、内容物の使用する量が多量である場合は蓋体を外してスプーンで掬って取り出せるので、本願発明の蓋体は、容器本体を片手または両手で持って傾けれる範囲の大きさの中空容器であれば、容器の大きさや形状に関係なしに適用することができる。
【００２４】
上記したように、本願発明の蓋体は、内容物を注出する開口蓋面と注出口が極めて簡単な構造に形成されて、安価に製造することができる。そして、このような簡単な構造をした蓋体を用いた粉体容器は、従来の振出し容器のように、容器本体の大きさや形状の制限を受けることがなくて、自由度が大きいので、各種の色々な粉体を収容する容器として使用することが可能であり、また、そのような粉体容器は簡単に使用することができて、非常に便利である。
【００２５】
【発明の効果】
本願発明の蓋体は、注出口を設けた構造が簡単であるから、熱可塑性合成樹脂を射出成形することにより容易に一体成形をすることができるので、その製造コストを低減することができる。
本願発明の蓋体を適用した粉体容器は、内容物の使用量が少量の場合はヒンジ蓋を開いて注出口から簡単に注出するようにして、使用量が多量の場合は簡単に蓋体を外してスプーンで掬って取り出すようにしたので、使用量の大小により簡単に選択して注出することができる。
また、本願発明の蓋体は、粉体容器を片手または両手で持って傾けることができる範囲内のものであれば、容器本体の形状や大きさの大小に関係なく適用することができる。
【図面の簡単な説明】
【図１】本願発明の密閉蓋体とそれを被着する容器本体を示す斜視図である。
【図２】図１に示す密閉蓋体を被着した粉体容器の口頸部分の断面図である。
【図３】本願発明の別の粉体容器の一例を示す斜視図である。
【図４】図３に示す粉体容器の口頸部分の断面図である。
【図５】本願発明の密閉蓋体を被着した粉体容器の使用状態を示す斜視図である。
【図６】本願発明の変形例であるスライド蓋（ａ）と回転蓋（ｂ）を設けた密閉蓋体の斜視図である。
【図７】従来の振出し口と掬い出し口を設けた蓋体を示す斜視図である。
【図８】図７に示す密閉蓋体を用いた粉体容器から内容物を掬い出して使用する状態を示す斜視図である。
【図９】図７に示す密閉蓋体を用いた粉体容器から内容物を振出して使用する状態を示す斜視図である。
【符号の説明】
１．　　容器本体
１ａ．　口頸部
１ｂ．　ネジ部
２．　　蓋体
２ａ．　天板部
２ｂ．　螺合筒部
２ｃ．　連結片
３．　　ヒンジ蓋
３ａ．　嵌合筒壁
４．　　密閉蓋面
４ａ．　注出口
４ｂ．　開口蓋片
４ｃ．　切り欠き部
４ｄ．　摘み片
５．　　不正開封防止片
５ａ．　回動防止片
【図１】
2004123143.tif 000003
【図２】
2004123143.tif 000004
【図３】
2004123143.tif 000005
【図４】
2004123143.tif 000006
【図５】
2004123143.tif 000007
【図６】
2004123143.tif 000008
【図７】
2004123143.tif 000009
【図８】
2004123143.tif 000010
【図９】
2004123143.tif 000011